Podtech/llm-jp-corpus-v4-ja_patent huggingface dataset:
【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
表面消毒液搬送装置であって、
電解槽と、
電力源と、
前期電解槽内で少なくとも１種のオキシダントを製造するために前記電力源から前記電解槽へ電力を送る回路と、
前記電解槽から取り外し可能なポータブル容器と、
前記電解槽を含んだ、前記容器支持基礎体と、
前記少なくとも１種のオキシダントを前記容器内の物質と組み合わせて消毒液を製造することができる、前記電解槽と前記容器との間に提供された連結部と、
前記消毒液を排出する前記容器の開口部と、
を含んでいることを特徴とする装置。
【請求項２】
開口部は封止可能であることを特徴とする請求項１記載の装置。
【請求項３】
容器はスプレー瓶を含んでいることを特徴とする請求項１記載の装置。
【請求項４】
ポンプ手段をさらに含んでいることを特徴とする請求項１記載の装置。
【請求項５】
ポンプ手段はスプレーヘッドを含んでいることを特徴とする請求項４記載の装置。
【請求項６】
スプレーヘッドはスプレーノズルを含んでいることを特徴とする請求項５記載の装置。
【請求項７】
ポンプ手段はハンドルを含んでいることを特徴とする請求項４記載の装置。
【請求項８】
基礎体は電源を含んでいることを特徴とする請求項１記載の装置。
【請求項９】
物質は流体を含んでいることを特徴とする請求項１記載の装置。
【請求項１０】
流体は水溶液を含んでいることを特徴とする請求項９記載の装置。
【請求項１１】
流体は水であることを特徴とする請求項９記載の装置。
【請求項１２】
連結部はバルブを含んでいることを特徴とする請求項４記載の装置。
【請求項１３】
バルブは電解槽で発生する気体の圧力に反応して開くことを特徴とする請求項４記載の装置。
【請求項１４】
連結部は流体密封止体を含んでいることを特徴とする請求項４記載の装置。
【請求項１５】
電解槽は少なくとも１種のオキシダントを製造するために塩化ナトリウムを含んだ電界質を利用することを特徴とする請求項１記載の装置。
【請求項１６】
電解槽は少なくとも１種のオキシダントを製造するために亜塩素酸ナトリウムを含んだ電界質を利用することを特徴とする請求項１記載の装置。
【請求項１７】
消毒液は対象物を消毒するために充分な値の有効遊離塩素濃度を含んでいることを特徴とする請求項１記載の装置。
【請求項１８】
少なくとも１種のオキシダントは、混合オキシダント、塩素、二酸化塩素及びそれら組み合わせで成る群から選択されるものを含んでいることを特徴とする請求項１記載の装置。
【請求項１９】
効力表示灯と状況表示灯とをさらに含んでいることを特徴とする請求項１記載の装置。
【請求項２０】
状況表示灯は消毒液の有効遊離塩素濃度に反応して起動されることを特徴とする請求項１９記載の装置。
【請求項２１】
表面を消毒する方法であって、
電解槽に電解質と電力を供給するステップと、
前記電解槽内で少なくとも１種のオキシダントを製造するステップと、
ポータブル容器内の物質に前記少なくとも１種のオキシダントを送って消毒液を製造するステップと、
前記電解槽を含んだ基礎体から前記容器を取り外すステップと、
表面に前記消毒液を搬送するステップと、
を含んでいることを特徴とする方法。
【請求項２２】
搬送ステップは容器から消毒液を送り出すステップを含んでいることを特徴とする請求項２１記載の方法。
【請求項２３】
搬送ステップは表面に消毒液をスプレーするステップを含んでいることを特徴とする請求項２１記載の方法。
【請求項２４】
物質は流体を含んでいることを特徴とする請求項２４記載の方法。
【請求項２５】
流体は水溶液を含んでいることを特徴とする請求項２４記載の方法。
【請求項２６】
流体は水であることを特徴とする請求項２４記載の方法。
【請求項２７】
搬送ステップはバルブを開くステップを含んでいることを特徴とする請求項２１記載の方法。
【請求項２８】
バルブは電解槽の気体の圧力に反応して開くことを特徴とする請求項２７記載の方法。
【請求項２９】
電力を供給するステップは電池を充電するステップを含んでいることを特徴とする請求項２１記載の方法。
【請求項３０】
電力を供給するステップは電池を交換するステップを含んでいることを特徴とする請求項２１記載の方法。
【請求項３１】
電解質は塩化ナトリウムを含んでいることを特徴とする請求項２１記載の方法。
【請求項３２】
電解質は亜塩素化ナトリウムを含んでいることを特徴とする請求項２１記載の方法。
【請求項３３】
消毒液製造ステップは、物質の有効遊離塩素濃度を対象物の消毒に充分な値に上昇させるステップを含んでいることを特徴とする請求項２１記載の方法。
【請求項３４】
少なくとも１種のオキシダントは、混合オキシダント、塩素、二酸化塩素及びそれら組み合わせで成る群から選択されることを特徴とする請求項２１記載の方法。
【請求項３５】
消毒液の有効遊離塩素濃度をモニターするステップをさらに含んでいることを特徴とする請求項２１記載の方法。
【請求項３６】
容器を表面に運搬するステップをさらに含んでいることを特徴とする請求項２１記載の方法。
【請求項３７】
容器を電解槽に再取り付けするステップをさらに含んでいることを特徴とする請求項３６記載の方法。
【請求項３８】
容器に物質を追加するステップをさらに含んでいることを特徴とする請求項２１記載の方法。
【請求項３９】
容器を電解槽に再取り付けするステップをさらに含んでいることを特徴とする請求項３８記載の方法。
【手続補正書】
【提出日】平成19年2月13日(2007.2.13)
【手続補正１】
【補正対象書類名】特許請求の範囲
【補正対象項目名】全文
【補正方法】変更
【補正の内容】
【特許請求の範囲】
【請求項１】
プラスミドpRTP801-VEGF。
【請求項２】
血管内皮成長因子をコードする発現カセットの隣に作用可能に配列され、それにより適切な哺乳動物細胞中にプラスミドを送達した後、酸素正常状態よりも低酸素状態でより高い血管内皮成長因子の発現が得られる様にする、低酸素状態で制御されるRTP-801プロモータ要素を含むプラスミド。
【請求項３】
pRTP801-VEGFおよび薬剤的に許容可能な遺伝子送達キャリアの混合物を含む、組成物。
【請求項４】
pRTP801-VEGFと薬剤的に許容可能な遺伝子送達キャリアとの混合物を含む、虚血性疾患を治療するための医薬組成物であって、pRTP801-VEGFを標的細胞中に送達してそして血管内皮成長因子をその様な細胞中で発現させることを含む、前記医薬組成物。
【請求項５】
前記虚血性疾患が、虚血性心疾患であり、そして前記標的細胞が心筋細胞を含む、請求項4に記載の医薬組成物。
【請求項６】
pRTP801-VEGFと薬剤的に許容可能な遺伝子送達キャリアとの混合物を含む組成物を含む、虚血性心疾患を治療するための医薬組成物であって、pRTP801-VEGFを心筋細胞中に送達し、そして血管内皮成長因子をそのような細胞中で発現させることを含む、前記医薬組成物。
【請求項７】
（a）血管内皮成長因子をコードする発現カセットの隣に作用可能に配列され、それにより標的細胞中へのプラスミドの送達の結果、酸素正常状態よりも低酸素状態でより高い血管内皮成長因子の発現が得られる、低酸素状態制御されるRTP-801プロモータ要素を含むプラスミド、および（b）薬剤的に許容可能な遺伝子送達キャリアの混合物を含む組成物を含む、虚血性疾患を治療するための医薬組成物であって、プラスミドを標的細胞中に送達してそして血管内皮成長因子をそのような細胞中で発現させることを含む、前記医薬組成物。
【請求項８】
プラスミドがpRTP801-VEGFである、請求項7に記載の医薬組成物。
【請求項９】
虚血性疾患が虚血性心疾患であり、そして標的細胞が心筋細胞を含む、請求項7に記載の医薬組成物。
【請求項１０】
pRTP801-725、pRTP801-645、pRTP801-545、pRTP801-495、pRTP801-445、pRTP801-395、およびpRTP801-SP1（-）からなる群から選択されるプラスミドを含む組成物。
【請求項１１】
プラスミドがpRTP801-725である、請求項10に記載の組成物。
【請求項１２】
プラスミドがpRTP801-645である、請求項10に記載の組成物。
【請求項１３】
プラスミドがpRTP801-545である、請求項10に記載の組成物。
【請求項１４】
プラスミドがpRTP801-495である、請求項10に記載の組成物。
【請求項１５】
プラスミドがpRTP801-445である、請求項10に記載の組成物。
【請求項１６】
プラスミドがpRTP801-395である、請求項10に記載の組成物。
【請求項１７】
プラスミドがpRTP801-SP1（-）である、請求項10に記載の組成物。
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
特に成人用失禁用おむつのためのファスニングシステムにおいて、
ｉ）隣接する第１および第２の閉鎖要素であって、それぞれが第１の面と第２の面とを有し、各閉鎖要素の該第１の面が少なくとも部分的に感圧接着剤によって覆われている第１および第２の閉鎖要素と、前記第１および第２の閉鎖要素のそれぞれの前記第１の面に取り付けられている２つの端部およびそれらの間の中間部分を有する弾性フィルムと、前記第１および第２の閉鎖要素のそれぞれの前記第１の面に取り付けられており、それら閉鎖要素と前記弾性フィルムとの間に介在して、該弾性フィルムがその中間部分で該閉鎖要素の接着剤塗膜に接触しないようにするブランキングフィルムとを備える、弾性積層体ファスニングタブと、
ｉｉ）物品に固着されるように構成された第１の面、および前記ファスニングタブの固着部分を受けるように構成された第２の面を有するターゲットテープと、
ｉｉｉ）剥離テープと、
を具備することを特徴とするファスニングシステム。
【請求項２】
前記弾性フィルムが、接着剤結合と、熱融着、超音波融着および冷間圧着のいずれかによる追加の結合とによって、前記閉鎖要素に取り付けられている、請求項１に記載のファスニングシステム。
【請求項３】
前記ブランキングフィルムの全長が前記弾性フィルムの長さよりも長く、前記弾性フィルムが、前記ブランキングフィルムを介して前記第１および第２の閉鎖要素に取り付けられている、請求項１または２に記載のファスニングシステム。
【手続補正書】
【提出日】平成19年2月9日(2007.2.9)
【手続補正１】
【補正対象書類名】特許請求の範囲
【補正対象項目名】全文
【補正方法】変更
【補正の内容】
【特許請求の範囲】
【請求項１】
患者に細動除去ショックを与えるための自動体外除細動器であって、
救命員が前記患者にＣＰＲ胸部圧迫を行う時間を検出するためのセンサと、
前記患者に細動除去ショックを与え、ＥＣＧ信号を検出するために、前記患者の胸部に取り付けるための電極と、
前記電極に細動除去ショックを与えるための細動除去回路と、
前記除細動器の動作を制御するソフトウェアを実行するためのプロセッサおよび関連メモリと、を備え、前記ソフトウェアが、
心臓のリズムがショックを与えることができるものか否か（細動除去療法により治療することができるものか否か）を判断するために、前記ＥＣＧ信号を分析するためのＥＣＧ分析と、
いつＣＰＲ胸部圧迫が行われたのかを判断するために、前記センサの出力を分析するためのＣＰＲ検出と、
前記心臓のリズムがショックを与えることができるものであるか否かの判断が、ＣＰＲ胸部圧迫を行わなかった前記ＥＣＧ信号の時間だけに基づいて行われるように、前記ＥＣＧ分析およびＣＰＲ検出の統合と、を行い、
前記ＥＣＧ分析が、前記心臓のリズムがショックを与えることができるものであるか否かを判断するために、最短ＥＣＧ分析時間の間の前記ＥＣＧ信号の分析を含み、
前記心臓のリズムがショックを与えることができるものであるという判断が、その判断を行うために前記ＥＣＧ信号を分析した前記時間が、少なくともＣＰＲ胸部圧迫を行わなかった前記最短ＥＣＧ分析時間と同じ時間を含む場合だけ行われるように、前記ＥＣＧ分析およびＣＰＲ検出の統合が行われる除細動器。
【請求項２】
ＣＰＲ胸部圧迫が行われた場合にタイマがリセットされ、前記最短ＥＣＧ分析時間を超えたかどうかを判断するために、前記タイマの値が前記ソフトウェアによりチェックされる請求項２に記載の除細動器。
【請求項３】
前記ソフトウェアが、ＣＰＲ胸部圧迫が行われたと判断した場合に、前記ＥＣＧ分析が再度初期化され、前記ＥＣＧ分析が、リセットしないで少なくとも前記最短ＥＣＧ分析時間の間行われた後でだけ、前記ソフトウェアが、前記心臓リズムがショックを与えることができるものであるかどうかについて判断する請求項３に記載の除細動器。
【請求項４】
前記ＥＣＧ分析およびＣＰＲ検出が、前記心臓リズムがショックを与えることができるものかどうかについての判断が行われる前記時間中連続的に行われる請
求項４に記載の除細動器。
【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
イメージング・システムにより位置特定可能な撮像可能なフィデューシャル・ロケータ・ヘッドと、
位置決めシステムのロケータ計器を係合するようなサイズと形状にした、前記撮像可能なフィデューシャル・ロケータ・ヘッドと一体化されていると共にテーパのついた側壁を有する雄型または雌型レセプタクルと、
前記撮像可能なフィデューシャル・ロケータ・ヘッドから外方に延びている、少なくとも一部分を骨に対して確保させるように構成された骨ねじシャフトと、
を含むフィデューシャル・マーカを備える装置。
【請求項２】
前記レセプタクルは、前記撮像可能なフィデューシャル・ロケータ・ヘッドに対して一体的に位置特定された頂点を含む実質的に円錐形のディボットであって、前記撮像可能なフィデューシャル・ロケータの画像の中心がディボットの頂点と実質的に一致し、撮像可能なフィデューシャル・ロケータは少くとも２つの異なる撮像手段で位置づけられたディボットを含んでいる請求項１に記載の装置。
【請求項３】
被検体に固着させたフィデューシャル・マーカの一部分の画像を表示するためのコンピュータ・ディスプレイと、
前記フィデューシャル・マーカの前記部分の表示画像に整列させるためのテンプレートであって、フィデューシャル・マーカの前記部分の２次元画像と整列させるために少なくとも１つの輪郭機能を含んだテンプレートと、
を備えるシステム。
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
金属製の又は金属を含む基板、及びその上に厚膜圧電駆動部またはピックアップを有するトリプルビーム共振器要素を含み、センサーが受ける応力量に依存して共振周波数が変化するように動作する、共振センサー。
【請求項２】
厚膜圧電駆動部またはピックアップは、厚さが少なくとも１マイクロメーターである、請求項１記載のセンサー。
【請求項３】
厚膜圧電駆動部またはピックアップは、厚さが１〜２マイクロメーターである、請求項１または２記載のセンサー。
【請求項４】
厚膜圧電駆動部またはピックアップは、厚さが５〜２０マイクロメーターまたは５〜１００マイクロメーターである、請求項１、２または３記載のセンサー。
【請求項５】
厚膜圧電駆動部またはピックアップが基板に印刷されている、請求項１〜４のいずれか１項に記載のセンサー。
【請求項６】
厚膜圧電駆動部またはピックアップが基板にスクリーン印刷されている、請求項１〜５のいずれか１項に記載のセンサー。
【請求項７】
基板が共振器固有の構成要素である請求項５または６記載のセンサー。
【請求項８】
基板が、測定対象の歪、圧力またはトルクを有する物またはその一部である、請求項１〜６のいずれか１項に記載のセンサー。
【請求項９】
ビームが互いに実質的に平行である、請求項１〜８のいずれか１項に記載のセンサー。
【請求項１０】
中央のビームが、他の各ビームの２倍の体積を有する、請求項９記載のセンサー。
【請求項１１】
中央のビームが、他の各ビームの２倍の幅を有する、請求項９記載のセンサー。
【請求項１２】
ビームが、対称的に切り欠かれた、一次検出する金属構造に対する連結部を備えている、請求項１〜１１のいずれか１項に記載のセンサー。
【請求項１３】
共振器における一つ若しくは複数の駆動部と一つ若しくは複数のピックアップとが、ともに厚膜圧電材料から形成されている、請求項１〜１２のいずれか１項に記載のセンサー
【請求項１４】
ビーム共振器は、４３０ステンレス、インコネルおよびベリリウム銅の少なくとも一つを含む金属材料の薄板をエッチングしてなるものである、請求項１〜１３のいずれか１項に記載のセンサー。
【請求項１５】
一つ若しくは複数の駆動部または一つ若しくは複数のピックアップのうち一つのみが厚膜圧電材料で形成されており、他の一つ若しくは複数の駆動部または一つ若しくは複数のピックアップは静電性、容量性または光学性とされている、請求項１〜１４のいずれか１項に記載のセンサー。
【請求項１６】
圧電材料がジルコン酸チタン酸鉛（ＰＺＴ）を含む、請求項１〜１５のいずれか１項に記載のセンサー。
【請求項１７】
共振器が複数の駆動部およびピックアップを備えている、請求項１〜１６のいずれか１項に記載のセンサー。
【請求項１８】
共振器が離間支持部を備えている、請求項１〜１７のいずれか１項に記載のセンサー。
【請求項１９】
共振器は、一つ若しくは複数の駆動部および／または一つ若しくは複数のピックアップと通信するための無線通信手段を備えている、請求項１〜１８のいずれか１項に記載のセンサー。
【請求項２０】
通信手段は、電磁波放射（マイクロ波及び光の周波数を含む）及び超音波による振幅変調磁気結合によって提供されるものである、請求項１９記載のセンサー。
【請求項２１】
共振器への動力供給のため及び共振器の周波数を検出するために時分割多重化を備えている、請求項１９または２０記載のセンサー。
【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
ミラーを具備する装置において、ミラーは、
表面を有する基板と、
前記基板の前記表面上に設けられ、前記基板とは反対側の表面上に研磨仕上げされた表面を有する薄膜の仕上げ層とを含んでいる装置。
【請求項２】
前記仕上げ層は、温度変化に応答して前記ミラーが前記基板と前記仕上げ層の熱膨張係数の差による屈曲を実質上生じないように十分に薄く形成されている請求項１記載の装置。
【請求項３】
前記仕上げ層は約０．０００１インチよりも小さい厚さを有している請求項１記載の装置。
【請求項４】
前記基板と前記仕上げ層との間に配置された薄膜の中間層を含んでいる請求項１記載の装置。
【請求項５】
前記仕上げ層の前記表面上に設けられた薄膜反射層を含んでいる請求項１記載の装置。
【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
音声記録を含むオリジナルのデジタル・オーディオ・コンテンツを獲得すること、
前記音声記録内に存在する語のテキストを含む追加のデジタル・コンテンツを用意すること、
語の前記テキストと、前記語が音声化された前記オリジナルのコンテンツのセグメントの間でリンクさせることを含む方法。
【請求項２】
オーディオ・デジタル・コンテンツとビデオ・デジタル・コンテンツの少なくともどちらかの内部のセグメントを定義すること、
前記セグメントに少なくとも１つの属性を割り当てること、
前記セグメントと属性割り当て情報を同一のタイプの媒体を介して配信すること、
前記属性に関係するユーザ指定を受け入れるインタフェースを提供すること、
前記指定に従って前記媒体の提示を変更するアクセスを提供することを含む方法。
【請求項３】
主に言語学習以外の目的で、当初、作成されたビデオ・コンテンツとオーディオ・コンテンツの少なくともどちらかを含むオリジナルのコンテンツを獲得すること、
前記オリジナルのコンテンツを追加のコンテンツとともに同一のディジタル媒体を介して配信することを含む方法であって、
前記追加のコンテンツは前記オリジナルのコンテンツ内に存在する前記語のテキスト・データベースを含むと共に、前記語が生じている前記オリジナルのコンテンツにリンクし、前記追加のコンテンツは前記語についての情報をさらに含む方法。
【請求項４】
主に言語学習以外の目的で作成されたビデオ・コンテンツまたはオーディオ・コンテンツの少なくともどちらかを含むオリジナルのコンテンツを提示すること、
言語学習を容易にする支援をユーザに提供すること、
前記ユーザの活動を観察すること、
前記ユーザの言語の知識の程度を上記の観察から推測すること、
前記ユーザに対する支援の形態を上記推測に基づいて自動的に調整することを含む方法。
【請求項５】
ビデオの受動的に支払い可能なコンテンツとオーディオの支払い可能なコンテンツの少なくともどちらかを含むオリジナルのコンテンツを獲得すること、
前記オリジナルのコンテンツを、前記オリジナルのコンテンツ内に存在する複数の語のテキスト・データベースを含む追加のコンテンツとともに同一タイプのディジタル媒体を介して配信すること、
前記データベースの中に、語と、前記オリジナルのコンテンツ内で該語が出現するポイントの間のリンクを含めること、
前記データベースの中の語に従って前記オリジナルのコンテンツの再生を変更するアクセスを提供することを含む方法。
【請求項６】
実行されると、音声記録を含むオリジナルのデジタル・オーディオ・コンテンツを獲得するオペレーションと、
前記音声記録の中に存在する語のテキストを含むオーディオ・デジタル・コンテンツを用意するオペレーションと、
語の前記テキストと、前記語が音声化された前記オリジナルのコンテンツのセグメントの間でリンクさせるオペレーションと
を含むオペレーションのセットを機械が実行するようにさせる命令のセットを内部に格納している機械可読媒体。
【請求項７】
実行されると、オーディオ・デジタル・コンテンツとビデオ・デジタル・コンテンツの少なくともどちらかの内部のセグメントを定義するオペレーションと、
前記セグメントに少なくとも１つの属性を割り当てるオペレーションと、
前記セグメントと属性割り当て情報を同一のタイプの媒体を介して配信するオペレーションと、
前記属性に関係するユーザ指定を受け入れるインタフェースを提供するオペレーションと、
前記指定に従って前記媒体の提示を変更するアクセスを提供するオペレーションと
を含むオペレーションのセットを機械が実行するようにさせる命令のセットを内部に格納している機械可読媒体。
【請求項８】
実行されると、主に言語学習以外の目的で作成されたビデオ・コンテンツとオーディオ・コンテンツの少なくともどちらかを含むオリジナルのコンテンツを獲得するオペレーションと、
前記オリジナルのコンテンツを追加のコンテンツとともに同一のディジタル媒体を介して配信するオペレーションと
を含むオペレーションのセットを機械が実行するようにさせる命令のセットを内部に格納している機械可読媒体であって、
前記追加のコンテンツが前記オリジナルのコンテンツ内に存在する前記語のテキスト・データベースを含み、前記追加のコンテンツが前記語についての情報をさらに含む機械可読媒体。
【請求項９】
実行されると、主に言語学習以外の目的で作成されたビデオ・コンテンツまたはオーディオ・コンテンツの少なくともどちらかを含むオリジナルのコンテンツを提示するオペレーションと、
言語学習を容易にする支援をユーザに提供するオペレーションと、
前記ユーザの活動を観察するオペレーションと、
前記ユーザの言語の知識の程度を推測するオペレーションと、
前記ユーザに対する支援の形態を自動的に調整するオペレーションと
を含むオペレーションのセットを機械が実行するようにさせる命令のセットを内部に格納している機械可読媒体。
【請求項１０】
実行されると、ビデオの受動的に支払い可能なコンテンツとオーディオの支払い可能なコンテンツの少なくともどちらかを含むオリジナルのコンテンツを獲得するオペレーションと、
前記オリジナルのコンテンツを、前記オリジナルのコンテンツ内に存在する複数の語のテキスト・データベースを含む追加のコンテンツとともに同一タイプのディジタル媒体を介して配信するオペレーションと、
前記データベースの中に、語と、前記オリジナルのコンテンツ内で該語が出現するポイントの間のリンクを含めるオペレーションと、
前記データベースの中の語に従って前記オリジナルのコンテンツの再生を変更するアクセスを提供するオペレーションと
を含むオペレーションのセットを機械が実行するようにさせる命令のセットを内部に格納している機械可読媒体。
【請求項１１】
受動的に再生可能なビデオ・コンテンツの前記再生における最後に再生されたポイントを不揮発性メモリの中に格納するオペレーションと、
前記再生セッションの前記終了を可能にするオペレーションと、
同一のコンテンツの後の再生時に前記再生における同一のポイントに戻るオペレーションと
を含むオペレーションのセットを機械が実行するようにさせる命令のセットを内部に格納している機械可読媒体。
【請求項１２】
ビデオの受動的に支払い可能なコンテンツとオーディオの支払い可能なコンテンツの少なくともどちらかを含むオリジナルのコンテンツを獲得するオペレーションと、
前記オリジナルのコンテンツを、前記オリジナルのコンテンツ内に存在する複数の語のテキスト・データベースを含む追加のコンテンツとともに同一タイプのディジタル媒体を介して配信するオペレーションと、
前記オリジナルのコンテンツの前記再生における最後に再生されたポイントを不揮発性メモリの中に格納するオペレーションと、
前記再生セッションの前記終了を可能にするオペレーションと、
同一のコンテンツの後の再生時に前記再生における定義されたポイントに戻るオペレーションであって、前記定義されたポイントは、前記コンテンツの分析に基づいて特定されるオペレーションと
を含むオペレーションのセットを機械が実行するようにさせる命令のセットを内部に格納している機械可読媒体。
【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
少なくとも２つの板の間にあり、且つ、該少なくとも２つの板の間に電気的バイアスを有する光学スイッチ膜であって、当該光学スイッチ膜は多孔性膜を含む、光学スイッチ膜。
【請求項２】
同時に形成され、且つ、搬送基板上に塗布される多層合成膜と、
少なくとも２つの板とを含む、
光学装置であって、
前記多層合成膜は、少なくとも１つの導電性層を含み、
前記少なくとも２つの板は、当該光学装置のために光学スイッチがもたらされるよう、前記多層合成膜をそれらの間に有する、
光学装置。
【手続補正書】
【提出日】平成19年2月20日(2007.2.20)
【手続補正１】
【補正対象書類名】特許請求の範囲
【補正対象項目名】全文
【補正方法】変更
【補正の内容】
【特許請求の範囲】
【請求項１】
芳香族ビスクロロホルメート混合物の製造方法であって、当該方法が、
ｐＨを３〜８の範囲に維持しながら、１種以上の芳香族ジヒドロキシ化合物を、ホスゲン、相間移動触媒、水性溶剤及び有機溶剤と界面反応条件下で混合する工程
を含んでおり、上記相間移動触媒がホスゲンと１種以上の芳香族ジヒドロキシ化合物との反応を促進するのに有効な量で存在し、１種以上の芳香族ジヒドロキシ化合物から得られるヒドロキシ基の総モル数に基づいて１０５〜１５０モル％のホスゲンを添加し終わるまで上記反応を実施して、芳香族ビスクロロホルメート混合物を生成させる、方法。
【請求項２】
ｐＨを６〜７の範囲に維持する、請求項１記載の方法。
【請求項３】
さらに、芳香族ビスクロロホルメート混合物に十分量の窒素を散布して過剰ホスゲンを除去する工程を含む、請求項１記載の方法。
【請求項４】
０．５〜８０重量％のヒドロキシアリール末端ポリジオルガノシロキサンを含有し、ヒドロキシアリール末端ポリジオルガノシロキサンが１０〜１００のジオルガノシロキシ単位を有するポリカーボネート−ポリシロキサン共重合体の製造方法であって、
（Ａ）ｐＨを３〜８の範囲に維持しながら、１種以上の芳香族ジヒドロキシ化合物の第１部分をホスゲン、相間移動触媒、水性溶剤及び有機溶剤と界面反応条件下で混合することによりビスクロロホルメート反応混合物を製造し、
（Ｂ）工程（Ａ）で得られる混合物にヒドロキシアリール末端ポリジオルガノシロキサンの一部又は全部を添加し、ここでヒドロキシアリール末端ポリジオルガノシロキサンの総量は最終的に得られるポリカーボネート−ポリシロキサン共重合体における所望のポリジオルガノシロキサン必要量（重量％）を満足するのに十分な量であり、
（Ｃ）工程（Ｂ）で進行する混合物のｐＨを工程（Ｂ）の前、途中又は後に１０〜１４の範囲の値に調節し、
（Ｄ）次いで１種以上の芳香族ジヒドロキシ化合物の全量の残りの複数部分の１つ以上、水性溶剤及び有機溶剤を添加し、
（Ｅ）所望に応じて、ヒドロキシアリール末端ポリジオルガノシロキサン及び／又は芳香族ジヒドロキシ化合物の添加を、１種以上の芳香族ジヒドロキシ化合物の全量を添加し終わるまで、かつヒドロキシアリール末端ポリジオルガノシロキサンのすべてを添加し終わるまで、繰り返し、
（Ｆ）残留クロロホルメートの残量が５０ｐｐｍ以下になるまで反応を行い、
（Ｇ）次いで工程（Ｆ）で得られる混合物に連鎖停止剤、共ホスゲン化触媒及びこれらの組合せからなる群から選択される助剤を添加し、
（Ｈ）ｐＨを９〜１２の範囲に維持しながら、工程（Ｇ）で得られる混合物にポリカーボネート−ポリシロキサン共重合体を形成する反応を完了させるのに十分な量のホスゲンを添加する
工程を含んでなる方法。
【請求項５】
ビスフェノールＡ準単位とポリジオルガノシロキサン準単位とを含んでなるポリカーボネート−ポリシロキサン共重合体であって、ポリジオルガノシロキサン準単位の０．５モル％未満が別のポリジオルガノシロキサン準単位に直接カップリングしている、ポリカーボネート−ポリシロキサン共重合体。
【請求項６】
請求項５記載のポリカーボネート−ポリシロキサン共重合体を別の重合体と混合して得られるブレンド。
【請求項７】
請求項５記載のポリカーボネート−ポリシロキサン共重合体又は請求項６記載のブレンドから形成された成形品。
【請求項８】
ポリカーボネート−ポリシロキサン共重合体の製造方法であって、
ａ）ｐＨを３〜８に維持するのに十分な量の塩基を添加しながら、芳香族ジヒドロキシ化合物、水、有機溶剤及びホスゲンを含有する混合物を相間移動触媒の存在下かつ共ホスゲン化触媒の不在下で反応させて、ビスクロロホルメートオリゴマー混合物を形成し、
ｂ）ビスクロロホルメートオリゴマー混合物にヒドロキシアリール末端ポリジオルガノシロキサンを添加し、その添加前もしくは添加後に塩基の添加によりｐＨを１０〜１４の範囲に調節し、
ｃ）第２の量のジヒドロキシ化合物を添加し、
ｄ）クロロホルメートレベルを５０ｐｐｍ未満に下げるのには十分であるが重合体の実質的な加水分解を生じるには不十分な時間、重合反応を進行させ、
ｅ）連鎖停止剤及び三級アミンを添加し、
ｆ）ホスゲンを添加して反応を完了させ、ｐＨを９〜１１に調節する
工程を含む方法。
【請求項９】
相間移動触媒の存在下かつ共ホスゲン化触媒の不在下、ｐＨ３〜８で芳香族ジヒドロキシ化合物、水、有機溶剤及びホスゲンを一緒に反応させてクロロホルメートを形成することによりビスクロロホルメートを製造し、次いで前記クロロホルメートをヒドロキシアリール末端ポリジオルガノシロキサンと反応させる工程を含む、ポリカーボネート−ポリシロキサン共重合体の製造方法。
【請求項１０】
１０〜６０のジオルガノシロキシ単位を有するヒドロキシアリール末端ポリジオルガノシロキサンに由来する単量体単位を含有し、芳香族ビスクロロホルメートの平均鎖長が６以上であり、ヘイズ値が１０未満である、ポリカーボネート−ポリシロキサン共重合体。
【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
式Ｉの化合物：
【化１】
2006518755.tif 000001
ここで、実質的に多形Ｉ型を含まない。
【請求項２】
式Ｉの化合物：
【化２】
2006518755.tif 000002
ここで、実質的に多形II型を含まない。
【請求項３】
図１に示されるＰＸＲＤパターンを有する型IIの請求項１の化合物。
【請求項４】
図１に示されるＰＸＲＤパターンを有する型Iの請求項２の化合物。
【請求項５】
式Ｉの化合物の多形Ｉを含む組成物：
【化３】
2006518755.tif 000003
ここで、多形Iを前記組成物中に約８５重量％以上含む。
【請求項６】
多形Iを前記組成物中に約９０重量％以上含む、請求項５記載の組成物。
【請求項７】
多形Iを前記組成物中に約９５重量％以上含む、請求項５記載の組成物。
【請求項８】
多形Iを前記組成物中に約９９重量％以上含む、請求項５記載の組成物。
【請求項９】
式Ｉの化合物の多形IIを含む組成物：
【化４】
2006518755.tif 000004
ここで、多形IIを前記組成物中に約８５重量％以上含む。
【請求項１０】
多形IIを前記組成物中に約９０重量％以上含む、請求項９記載の組成物。
【請求項１１】
多形IIを前記組成物中に約９５重量％以上含む、請求項９記載の組成物。
【請求項１２】
多形IIを前記組成物中に約９９重量％以上含む、請求項９記載の組成物。
【請求項１３】
式Ｉの化合物の多形：
【化５】
2006518755.tif 000005
ここで、前記多形は、
（ａ）酸性水性溶液中で前記化合物を溶解し；
（ｂ）前記水性溶液を塩基性化し、それによって多形II型を実質的に含まない前記化合物を沈殿させ；そして
（ｃ）沈殿した前記化合物の多形Ｉ型を分離する、
によって調製される。
【請求項１４】
式Ｉの化合物の多形：
【化６】
2006518755.tif 000006
ここで、前記多形は、
（ａ）水素結合を形成しない極性有機溶媒中に前記化合物を溶解し；
（ｂ）前記極性有機溶媒を蒸発させ、それによって多形II型を実質的に含まない前記化合物を沈殿させ；そして
（ｃ）沈殿した前記化合物の多形Ｉ型を分離する、
によって調製される。
【請求項１５】
式Ｉの化合物の多形：
【化７】
2006518755.tif 000007
ここで、前記多形は、
（ａ）水素結合を形成する極性有機溶媒中で前記化合物を溶解し；
（ｂ）前記極性有機溶媒を蒸発させ、それによって多形I型を実質的に含まない前記化合物を沈殿させ；そして
（ｃ）沈殿した前記化合物の多形II型を分離する、
によって調製される。
【請求項１６】
前記水素結合を形成しない極性有機溶媒がＴＨＦである、請求項１４の方法により調製される多形。
【請求項１７】
前記水素結合を形成する極性有機溶媒がメタノールである、請求項１５の方法により調製される多形。
【請求項１８】
請求項１または２のいずれかの化合物、および製剤的に許容される担体または賦形剤を含む、医薬組成物。
【請求項１９】
プロテインキナーゼの触媒活性を調整する方法であって、前記プロテインキナーゼを請求項１または２のいずれかの化合物と接触させる工程を含む、前記方法。
【請求項２０】
前記プロテインキナーゼが、リセプターチロシンキナーゼ、非−リセプターチロシンキナーゼおよびセリン−トレオニンキナーゼからなる群から選択される、請求項１９記載の方法。
【請求項２１】
生物内のプロテインキナーゼ関連疾患の治療または予防用医薬組成物であって、請求項１または２のいずれかの化合物、および製剤的に許容される担体または賦形剤を含む、前記組成物。
【請求項２２】
前記プロテインキナーゼ関連疾患が、リセプターチロシンキナーゼ関連疾患、非−リセプターチロシンキナーゼ関連疾患およびセリン−トレオニンキナーゼ関連疾患からなる群から選択される、請求項２１記載の組成物。
【請求項２３】
前記プロテインキナーゼ関連疾患が、ＥＧＦＲ関連疾患、ＰＤＧＦＲ関連疾患、ＩＧＦＲ関連疾患、ｃ−ｋｉｔ関連疾患およびｆｌｋ関連疾患からなる群から選択される、請求項２１記載の組成物。
【請求項２４】
前記プロテインキナーゼ関連疾患が、白血病、脳の癌、非小細胞肺癌、扁平上皮癌、星状細胞腫、カポジ肉腫、グリア芽細胞腫、肺癌、膀胱癌、頭部癌、頚部癌、黒色腫、卵巣癌、前立腺癌、乳癌、小細胞肺癌、神経膠腫、結腸直腸癌、泌尿器癌および消化管間質腫からなる群から選択される癌である、請求項２１記載の組成物。
【請求項２５】
前記プロテインキナーゼ関連疾患が、糖尿病、自己免疫異常、過剰増殖疾患（hyperproliferation disorder）、再狭窄、線維症、乾癬、フォンヘペルーリンドー病（von Heppel-Lindau disease）、変形性関節症、リウマチ様関節炎、脈管形成、炎症性疾患、免疫疾患および心血管疾患からなる群から選択される、請求項２１記載の組成物。
【請求項２６】
前記生物がヒトである、請求項２１記載の組成物。
【請求項２７】
請求項１または２のいずれかの化合物および製剤的に許容される担体または賦形剤を含む医薬組成物を投与することを含む、コンパニオン動物の癌の治療方法。
【請求項２８】
前記コンパニオン動物がネコまたはイヌである、請求項２７記載の方法。
【誤訳訂正書】
【提出日】平成19年2月20日(2007.2.20)
【誤訳訂正１】
【訂正対象書類名】特許請求の範囲
【訂正対象項目名】全文
【訂正方法】変更
【訂正の内容】
【特許請求の範囲】
【請求項１】
脳血管関門を通過して輸送させるべき鎮痛作用性分子を含む医薬組成物であって、前記鎮痛作用性分子がグリコシル化エンケファリンペプチドであり、
ｉ）YGGFL、YtGFL、YcGFL、またはYaGFL（式中t、cおよびaはそれぞれD-スレオニン、D-システイン、D-アラニンである）を含む、オピオイドレセプターに結合するメッセージ配列；および、
ii）βO-結合を介して二糖とグリコシル結合したL-セリンを含む輸送配列、
を含み、前記グリコシル化セリンが前記ペプチドのカルボキシル末端に位置して前記ペプチドの前記メッセージ配列に結合しており、前記二糖がラクトース、マルトースおよびメリビオースを含む、
前記医薬組成物。
【請求項２】
グリコシル化エンケファリンペプチドが、YtGFLS(β-ラクトース)CONH2、YtGFLS(β-マルトース)CONH2、およびYtGFLS(β-メリビオース)CONH2（式中、tはD-スレオニンであり、SはL-セリンである）からなる群より選ばれる、請求項１記載の組成物。
【請求項３】
YtGFLS(β-ラクトース)CONH2、YtGFLS(β-マルトース)CONH2、およびYtGFLS(β-メリビオース)CONH2(式中、tはD-スレオニンであり、SはL-セリンである）のいずかであるグリコシル化エンケファリンを含む、脳血管関門を通過して輸送することのできる医薬組成物。
【請求項４】
脳血管関門を通過して輸送することのできるグリコシル化エンケファリンペプチドを含む医薬組成物であって、前記グリコシル化が二糖によるものであり、前記ペプチドが式YtGFLS(β-二糖)CONH2、YcGFLS(β-二糖)CONH2、または、YaGFLS(β-二糖)CONH2（式中、t、cおよびaはそれぞれD-スレオニン、D-システイン、D-アラニンであり、SはL-セリンであり、二糖がラクトール、マルトースまたはメリビオースを含む）を有する、前記医薬組成物。
【請求項５】
式YtGFLS-(β-メリビオース)CONH2（式中、tはD-スレオニンであり、SはL-セリンである）を有し、脳血管関門を通過することのできるグリコシル化エンケファリンペプチド化合物。
【請求項６】
式YtGFLS-(β-ラクトース)CONH2（式中、tはD-スレオニンであり、SはL-セリンである）を含む、脳血管関門を通過することのできるグリコシル化エンケファリンペプチド化合物。
【請求項７】
式YtTGFLS-(β-マルトース)CONH2（式中、tはD-スレオニンであり、SはL-セリンである）を含む、脳血管関門を通過することのできるグリコシル化エンケファリンペプチド化合物。
【請求項８】
ｉ）YGGFL、YtGFL、YcGFL、またはYaGFL（式中t、cおよびaはそれぞれD-スレオニン、D-システイン、D-アラニンである）を含む、オピオイドレセプターに結合するメッセージ配列；および、
ii）βO-結合を介して二糖とグリコシル結合したL-セリンを含む輸送配列、
を含み、前記グリコシル化セリンが前記ペプチドのカルボキシル末端に位置して前記ペプチドの前記メッセージ配列に結合しており、前記二糖がラクトース、マルトースおよびメリビオースを含む、
脳血管関門を通過して輸送することのできるグリコシル化エンケファリンペプチド化合物。
【誤訳訂正２】
【訂正対象書類名】明細書
【訂正対象項目名】００１８
【訂正方法】変更
【訂正の内容】
【００１８】
【表１】
2006518759.tif 000001
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
患者における過度の骨溶解を治療するための医薬組成物であって、化学式Ｉ：
【化１】
2006518756.tif 000001
［式中、Ｒは、独立に、Ｈ、ＯＨ、アルキル、アリール、シクロアルキル、ヘテロアリール、アルコキシ、複素環及びアミノであり；
各Ｒ１は、アルキル、ハロ、アリール、アルコキシ、ハロアルキル、ハロアルコキシ、シクロアルキル、ヘテロアリール、複素環、ヒドロキシ、−Ｃ（Ｏ）−Ｒ８、−ＮＲ９Ｒ１０、−ＮＲ９Ｃ（Ｏ）−Ｒ１２及び−Ｃ（Ｏ）ＮＲ９Ｒ１０からなる群より独立に選択され；
各Ｒ２は、アルキル、アリール、ヘテロアリール、−Ｃ（Ｏ）−Ｒ８及びＳＯ２Ｒ”（Ｒ”は、アルキル、アリール、ヘテロアリール、ＮＲ９Ｎ１０またはアルコキシである）からなる群より独立に選択され；
各Ｒ５は、水素、アルキル、アリール、ハロアルキル、シクロアルキル、ヘテロアリール、複素環、ヒドロキシ、−Ｃ（Ｏ）−Ｒ８及び（ＣＨＲ）ｒＲ１１からなる群より独立に選択され；
Ｘは、ＯまたはＳであり；
ｐは、０〜３であり；
ｑは、０〜２であり；
ｒは、０〜３であり；
Ｒ８は、−ＯＨ、アルキル、アリール、ヘテロアリール、アルコキシ、シクロアルキル及び複素環からなる群より選択され；
Ｒ９及びＲ１０は、独立に、Ｈ、アルキル、アリール、アミノアルキル、ヘテロアリール、シクロアルキル及び複素環からなる群より選択されるか、あるいは、Ｒ９及びＲ１０は、Ｎと一緒になって、環原子がＣ、Ｎ、Ｏ及びＳからなる群より選択される環を形成してもよく；
Ｒ１１は、−ＯＨ、アミノ、一置換アミノ、二置換アミノ、アルキル、アリール、ヘテロアリール、アルコキシ、シクロアルキル及び複素環からなる群より選択され；
Ｒ１２は、アルキル、アリール、ヘテロアリール、アルコキシ、シクロアルキル及び複素環からなる群より選択され；
Ｚは、ＯＨ、Ｏ−アルキル、または−ＮＲ３Ｒ４、ここでＲ３及びＲ４は、水素、アルキル、アリール、ヘテロアリール、シクロアルキル及び複素環からなる群より独立に選択されるか、あるいは、Ｒ３及びＲ４は、Ｎと結合して、環原子がＣＨ２、Ｎ、Ｏ、Ｓからなる群より選択される環を形成してもよく、または
【化２】
2006518756.tif 000002
（式中、Ｙは、独立に、ＣＨ２、Ｏ、ＮまたはＳであり、
Ｑは、ＣまたはＮであり；
ｎは、独立に、０〜４であり；そして、
ｍは０〜３である）である］
の化合物またはその塩を含む、上記医薬組成物。
【請求項２】
Ｒ１がハロ、かつｐが１である、請求項１に記載の医薬組成物。
【請求項３】
Ｚが−ＮＲ３Ｒ４であって、ここでＲ３及びＲ４はモルホリン環を形成する、請求項２に記載の医薬組成物。
【請求項４】
Ｚが以下：
【化３】
2006518756.tif 000003
であって、ここで各ＹはＣＨ２、各ｎは２、ｍは０、そしてＲ３及びＲ４はモルホリン環を形成する、請求項１に記載の医薬組成物。
【請求項５】
Ｒ２がメチル、かつｑが２であって、ここで該メチルは３位及び５位に結合する、請求項１〜３のいずれかに記載の医薬組成物。
【請求項６】
化合物が化学式ＩＩ：
【化４】
2006518756.tif 000004
の化合物である、請求項１に記載の医薬組成物。
【請求項７】
Ｒ５がＨである、請求項６に記載の医薬組成物。
【請求項８】
Ｒ２がメチル、ｑが２であって、ここで該メチルは３位及び５位に結合する、請求項６に記載の医薬組成物。
【請求項９】
患者が骨に転移している癌を有する、請求項６に記載の医薬組成物。
【請求項１０】
患者がＭ−ＣＳＦを分泌する癌を有する、請求項６に記載の医薬組成物。
【請求項１１】
患者が骨粗鬆症を有する、請求項６に記載の医薬組成物。
【請求項１２】
患者が閉経後である、請求項６に記載の医薬組成物。
【請求項１３】
化合物が以下からなる群より選択される、請求項１に記載の医薬組成物：
【化５】
2006518756.tif 000005
【請求項１４】
化学式Ｉの化合物が以下からなる群より選択される、請求項１に記載の医薬組成物：
【化６】
2006518756.tif 000006
【請求項１５】
ＣＳＦ１Ｒのリン酸化の阻害を必要とする患者において、ＣＳＦ１Ｒのリン酸化を阻害するための医薬組成物であって、化学式Ｉ：
【化７】
2006518756.tif 000007
［式中、Ｒは、独立に、Ｈ、ＯＨ、アルキル、アリール、シクロアルキル、ヘテロアリール、アルコキシ、複素環及びアミノであり；
各Ｒ１は、アルキル、ハロ、アリール、アルコキシ、ハロアルキル、ハロアルコキシ、シクロアルキル、ヘテロアリール、複素環、ヒドロキシ、−Ｃ（Ｏ）−Ｒ８、−ＮＲ９Ｒ１０、−ＮＲ９Ｃ（Ｏ）−Ｒ１２及び−Ｃ（Ｏ）ＮＲ９Ｒ１０からなる群より独立に選択され；
各Ｒ２は、アルキル、アリール、ヘテロアリール、−Ｃ（Ｏ）−Ｒ８及びＳＯ２Ｒ”（Ｒ”は、アルキル、アリール、ヘテロアリール、ＮＲ９Ｎ１０またはアルコキシである）からなる群より独立に選択され；
各Ｒ５は、水素、アルキル、アリール、ハロアルキル、シクロアルキル、ヘテロアリール、複素環、ヒドロキシ、−Ｃ（Ｏ）−Ｒ８及び（ＣＨＲ）ｒＲ１１からなる群より独立に選択され；
Ｘは、ＯまたはＳであり；
ｐは、０〜３であり；
ｑは、０〜２であり；
ｒは、０〜３であり；
Ｒ８は、−ＯＨ、アルキル、アリール、ヘテロアリール、アルコキシ、シクロアルキル及び複素環からなる群より選択され；
Ｒ９及びＲ１０は、独立に、Ｈ、アルキル、アリール、アミノアルキル、ヘテロアリール、シクロアルキル及び複素環からなる群より選択されるか、あるいは、Ｒ９及びＲ１０は、Ｎと一緒になって、環原子がＣ、Ｎ、Ｏ及びＳからなる群より選択される環を形成してもよく；
Ｒ１１は、−ＯＨ、アミノ、一置換アミノ、二置換アミノ、アルキル、アリール、ヘテロアリール、アルコキシ、シクロアルキル及び複素環からなる群より選択され；
Ｒ１２は、アルキル、アリール、ヘテロアリール、アルコキシ、シクロアルキル及び複素環からなる群より選択され；
Ｚは、ＯＨ、Ｏ−アルキル、または−ＮＲ３Ｒ４、ここでＲ３及びＲ４は、水素、アルキル、アリール、ヘテロアリール、シクロアルキル及び複素環からなる群より独立に選択されるか、あるいは、Ｒ３及びＲ４は、Ｎと結合して、環原子がＣＨ２、Ｎ、Ｏ、Ｓからなる群より選択される環を形成してもよく、または
【化８】
2006518756.tif 000008
（式中、Ｙは、独立に、ＣＨ２、Ｏ、ＮまたはＳであり、
Ｑは、ＣまたはＮであり；
ｎは、独立に、０〜４であり；そして、
ｍは０〜３である）である］
の化合物を含む、上記医薬組成物。
【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
胎便吸引症候群の治療または予防のための医薬の製造のための補体阻害剤の使用。
【請求項２】
補体阻害剤がコンプスタチン（compstatin）およびその機能的アナログ、Ｃ１阻害剤、Ｃ１ｑ阻害剤、Ｃ１ｓ阻害剤、ｓＣＲ１およびそのアナログ、抗−Ｃ５抗体およびその機能的に等価なフラグメント、抗−Ｃ５ａ抗体およびその機能的に等価なフラグメント、抗−Ｃ５ａ受容体抗体およびその機能的に等価なフラグメント、抗−Ｃ３ａ抗体およびその機能的に等価なフラグメント、抗−Ｃ３ａ受容体抗体およびその機能的に等価なフラグメント、抗−Ｃ６抗体およびその機能的に等価なフラグメント、抗−Ｃ７抗体およびその機能的に等価なフラグメント、抗−Ｃ８抗体およびその機能的に等価なフラグメント、抗−Ｃ９抗体およびその機能的に等価なフラグメント、抗−プロペルジン（properdin）抗体およびその機能的に等価なフラグメント、融合蛋白メンブランコファクタープロテイン、崩壊促進因子（ＤＡＦ）、Ｃ４ｂｐ、Ｈ因子、Ｉ因子、カルボキシペプチダーゼＮ、ビトロネクチン（Ｓ蛋白）、クルステリン（clusterin）およびＣＤ５９からなる群から選択される請求項１記載の使用。
【請求項３】
補体阻害剤が抗体またはその機能的に等価なフラグメントである請求項１記載の使用。
【請求項４】
抗体が抗−Ｄ因子抗体である請求項３記載の使用。
【請求項５】
抗体が抗−プロペルジン抗体およびその機能的に等価なフラグメント、抗−Ｃ５抗体およびその機能的に等価なフラグメント、および抗−Ｃ５ａ抗体およびその機能的に等価なフラグメントからなる群から選択される請求項３記載の使用。
【請求項６】
補体阻害剤が第２補体経路の成分を阻害する請求項１〜５のいずれか１項記載の使用。
【請求項７】
補体阻害剤が１日につき体重１ｋｇあたり約３〜５０ｍｇの投与量で投与される請求項１〜６のいずれか１項記載の使用。
【請求項８】
補体阻害剤および１以上の医薬上許容されるアジュバント、担体、賦形剤または希釈剤を含んでなる組成物。
【請求項９】
補体阻害剤が請求項２〜７のいずれか１項記載のものである請求項８記載の組成物。
【請求項１０】
２以上の補体阻害剤を含んでなる請求項８または９記載の組成物。